(57)【要約】【課題】持ち運びや取り扱いが容易で、作業も楽であり、しかも迅速かつ正確に天井の下地材を取り付けることができる下地材取り付け方法【解決手段】天井スラブ１に、軽天バー２ｂを床面１３との間に一定の距離をおいて配設するに際し、適宜の保持手段によって上記下地材の下面にレーザー距離計６の上面を当接させて保持し、このレーザー距離計６の数値に基づいて軽天バー２ｂと床面１３との間の距離を調節しながら上記軽天バー２ｂを天井スラブ１に取り付けることを特徴とする。なお、軽天バー２ｂを磁着性部材とし、上記軽天バー２ｂの下面に上記レーザー距離計６の上面を保持させる保持手段をマグネットとし、該マグネット１０を、その端面が上記レーザー距離計６の上面とほぼ面一になるようにレーザー距離計６内に埋設するのが好ましい。【選択図】図１
2008180033.tif 000002
【特許請求の範囲】
【請求項１】
天井スラブに天井材の下地材を床面との間に一定の距離をおいて配設するに際し、適宜の保持手段によって上記下地材の下面にレーザー距離計の上面を当接させて保持し、このレーザー距離計の数値に基づいて下地材と床面との間の距離を調節しながら上記下地材を天井に取り付けることを特徴とする天井等における下地材取り付け方法。
【請求項２】
上記下地材を磁着性部材とし、上記下地材の下面に上記レーザー距離計の上面を保持させる保持手段をマグネットとし、該マグネットを、その端面が上記レーザー距離計の上面とほぼ面一になるようにレーザー距離計内に埋設したことを特徴とする、請求項１に記載の天井等における下地材取り付け方法。
【請求項３】
上記レーザー距離計には、上記下地材からの落下を防止する落下防止手段を設けたことを特徴とする、請求項１又は２に記載の天井等における下地材取り付け方法。
【請求項４】
上記下地材を天井材の下地材とすることに代え、壁を造作するための下地材とし、上記レーザー距離計を上記下地材の側面に当接保持させて該下地材と対向する壁面との間の距離を調節しながら上記下地材を取り付けることを特徴とする、請求項１に記載の天井等における下地材取り付け方法。
【請求項５】
上記レーザー距離計の背面には、上記マグネットの上に側面視が三角形状のアジャスタを着脱可能としたことを特徴とする、請求項２に記載の天井等における下地材取り付け方法。
【発明の詳細な説明】
【技術分野】
【０００１】
本発明は、軽天工事などにおける下地材のレベルを調整して取り付けるための天井等における下地材取り付け方法に関する。
【背景技術】
【０００２】
例えば、天井を造作する下地工事として軽天工事が行われる。これは、天井ボード（天井材）を取り付ける断面コ字形の野縁受けや軽天バーを天井スラブにアンカーボルトで吊るものであるが、鋼製の軽天バーに天井ボードを張るときに面一になっていなければならないので、軽天バーを取り付けるときは、天井ボードが床面と平行となるように、つまり軽天バーがどの位置でも床面と所定の距離をおいて水平となるようにしなければならない。この場合、軽天バーと野縁受けは共に動くようになっているから、作業者は予め野縁受けを天井スラブから吊り下げた全ネジの吊りボルトにナットで止めておき、軽天バーの床面からの高さは、いわゆるバカ棒とよばれるレベル測定用棒定規を床面に立て、この棒定規の目盛に従ってナットを回転させて軽天ボードの高さレベルを調整していた。
【発明の開示】
【発明が解決しようとする課題】
【０００３】
しかしながら、上記棒定規を床面に対して垂直に立てるのは熟練を要するだけでなく、棒定規は重く長いので、持ち運びや取り扱いが面倒である。また、軽天バーのレベル調整を行う際、棒定規は片手で保持しなければならないので、軽天バーの調整には両手を使うことができない。さらに、目盛を読む角度が斜めになったり、棒定規が床面に対して傾斜したりすると、正確な読み取りができない。このため、軽天バーを正確に取り付けるのは煩雑で面倒な作業であった。
【０００４】
本発明は上記従来技術における問題点を解消し、持ち運びや取り扱いが容易で、作業も楽であり、しかも迅速かつ正確にレベル調整して下地材を取り付けることができる天井等における下地材取り付け方法を提供することをその課題とする。
【課題を解決するための手段】
【０００５】
上記課題を解決するため、請求項１に係る発明は、天井に、下地材を床面との間に一定の距離をおいて配設するに際し、適宜の保持手段によって上記下地材の下面にレーザー距離計の上面を当接させて保持し、このレーザー距離計の数値に基づいて下地材と床面との間の距離を調節しながら上記下地材を天井に取り付けることを特徴とする。
【０００６】
請求項２に係る発明は、請求項１において、上記下地材を磁着性部材とし、上記下地材の下面に上記レーザー距離計の上面を保持させる保持手段をマグネットとし、該マグネットを、その端面が上記レーザー距離計の上面とほぼ面一になるようにレーザー距離計内に埋設したことを特徴とする。
【０００７】
請求項３に係る発明は、請求項１又は２において、上記レーザー距離計には、上記下地材からの落下を防止する落下防止手段を設けたことを特徴とする。
【０００８】
請求項４に係る発明は、請求項１において、上記下地材を天井材の下地材とすることに代え、壁を造作するための下地材とし、上記レーザー距離計を上記下地材の側面に当接保持させて該下地材と対向する壁面との間の距離を調節しながら上記下地材を取り付けることを特徴とする。
【０００９】
請求項５に係る発明は、請求項２において、上記レーザー距離計の背面には、請求項２において、上記マグネットの上に側面視が三角形状のアジャスタを着脱可能としたことを特徴とする。
【発明の効果】
【００１０】
請求項１に係る発明によれば、下地材の床面からの高さは、下地材の下面にレーザー距離計の上面を当接させて保持し、このレーザー距離計に表示された数値を読み取ることにより計測できる。予め下地材を仮止めしておき、レーザー距離計によって下地材と床面との間の距離を調節しながら正確な高さを微調整して上記下地材を天井に取り付ければよい。レーザー距離計は軽く、小型なので持ち運びが楽で、取り扱いも容易である。また、レーザー距離計は下地材に保持しておけばよいので、下地材は両手を使用して取り付けることができるので、作業も楽である。また、デジタル表示であるから、迅速かつ正確に下地材の床面からの高さを読み取ることができる。
【００１１】
請求項２に係る発明によれば、下地材が鉄などの磁着性の部材であるときは、下地材の下面にレーザー距離計をマグネットによって保持させておけばよく、マグネットの端面はレーザー距離計の背面とほぼ面一になるように埋設されているので、正確に計測することができる。また、レーザー距離計を簡単に下地材の下面に保持させることができるとともに、取り外しも容易なので、作業は非常に楽である。
【００１２】
請求項３に係る発明によれば、レーザー距離計には、上記下地材からの落下を防止する落下防止手段が設けられているので、安心して作業ができる。
【００１３】
請求項４に係る発明によれば、壁に造作を施す場合も、同様にして、下地材取り付けにあたって正確なレベル調整を行うことができる。
【００１４】
請求項５に係る発明によれば、レーザー距離計の背面には、上記マグネットの上に側面視が三角形状のアジャスタが取り付けられているので、下地材の取り付けだけでなく、窓枠の角隅部に上記アジャスタの先端を当てるようにして対角線の長さなどを簡単かつ正確に計測することができる。
【発明を実施するための最良の形態】
【００１５】
以下、図面に基づいて本発明に係る実施の形態を説明する。図１において符号１は天井スラブを示す。天井スラブ１の下部には下地材として断面コ字状の鋼製の野縁受け２ａと軽天バー２ｂとが縦横に交差し、格子状に配設されている。上側の野縁受け２ａと下側の軽天バー２ｂとは連結されている。そして、上側の野縁受け２ａには、天井スラブ１から垂設された全ネジの吊りボルト３が貫通し、上下のナット４、５により仮止めされている。軽天バー２ｂは野縁受け２ａに連結金具（図示せず）を介して連結され、共に上下動するように構成されている。
【００１６】
レーザー距離計６は一端に設けられた照射口７からレーザー光を対象物に向けて照射し、対象物に当たって反射して戻ってくるまでの時間にもとづいて対象物までの距離を計測するもので、公知のものでよい。そして、図２（ａ）（ｂ）に示されるように、レーザー距離計６の上記照射口７とは反対側の端面８には２個の穴９が開口して形成され、両穴９にはそれぞれマグネット１０が埋設されている。マグネット１０の端面は上記レーザー距離計６の端面８と面一になるように取り付けられている。１４は距離をデジタル表示する表示モニターである。
【００１７】
なお、レーザー距離計６には、下地材からの落下を防止する落下防止手段として、先端にフック１１が付いたストラップ１２が設けられている。フック１１ではなくマグネット（図示せず）であってもよい。また、ストラップ１２はストレートではなく螺旋状のものでもよい。特にマグネットの場合は、レーザー距離計６が落下したときにその荷重がマグネットに緩やかに伝達されるので、マグネットが下地材から脱落することがない。
【００１８】
天井スラブ１の下地材２を床面から正確な高さで取り付けるにあたっては、まず図１のように、レーザー距離計６のマグネット１０側の端面８を上向きに、照射口７を下に向けた状態で、上記上面８を上記下側の軽天バー２ｂの下面に磁着させて保持させる。これにより、レーザーの照射口７は下方の床面１３に向けられる。軽天バー２ｂにはフック１１を掛けて保持させる。
【００１９】
次に、レーザー距離計６によって上記下側の軽天バー２ｂと床面１３との間の距離を計測し、モニター１４によりその計測値を読み取る。その結果、上記下側の軽天バー２ｂの床面１３からの高さが所定の高さよりも低いときは、上記吊りボルト３のナット４、５を締めて上記下側の軽天バー２ｂを上方位置に移動調整する。上記下側の軽天バー２ｂの床面１３からの高さが所定の高さよりも高いときは、上記吊りボルト３のナット４、５を緩めて上記下側の軽天バー２ｂを下方位置に移動調整する。ナット４、５を締めたり、緩めたりするにしたがって、レーザー距離計６の数値も変わっていくので、レーザー距離計６の数値を読み、この数値に基づいて軽天バー２ｂと床面１３との間の距離を調節しながらナット４、５を回転させ、上記下側の軽天バー２ｂが正しい高さに至ったときにダブルナット４、５で固定すればよい。下側の軽天バー２ｂが所定の位置になれば、上側の野縁受け２ａも同時に正しい位置に位置決めされる。むくり調整も同様にして行えばよい。
【００２０】
上述のように、レーザー距離計６はデジタル表示であるから、迅速かつ正確に下地材２の床面１３からの高さを読み取ることができる。また、レーザー距離計６は軽天バー２ｂに保持しておけばよいので、軽天バー２ｂは両手を使用して調整したり固定したりして取り付けることができるので、作業も楽である。
【００２１】
１個所の軽天バー２ｂの高さが決まったら、場所を移して同じ要領で高さを調節して取り付ければよい。場所を移すときにレーザー距離計６も元の場所から外して次の場所まで運ぶが、レーザー距離計６自体の重量は軽量であり、小さいので持ち運びは楽であり、取り扱いも容易である。
【００２２】
さらに、レーザー距離計６には、上記軽天バー２ｂからの落下を防止するフック１１が設けられているので、安心して作業ができる。
【００２３】
また、下地材がアルミニウム、木などの非磁着性部材のときは、軽天バー２ｂの下面に上記レーザー距離計６の上面を保持させる保持手段としては吸盤などを利用すればよい。
【００２４】
次に、レーザー距離計６の背面８には、図３に示されるように、上記マグネット１０の上に側面視が直角三角形状のアジャスタ１５を着脱可能に取り付けるが好ましい。この場合、アジャスタ１５をアルミニウム製のアジャスタ本体１５ａに鉄製のプレート１６を固定する構成とし、アジャスタ本体１５ａから突出したピン１７をプレート６を貫通させ、レーザー距離計６に形成した位置決め孔２２（図２（ａ）参照）に嵌合させるとともに、プレート１６をレーザー距離計６のマグネット１０に磁着させて取り付けるようにすればよい。磁力に抗して引っ張ればアジャスタ１５を取り外すことができる。
【００２５】
これによれば、例えば図４に示されるように、窓枠１８の対角線の長さを計測するときなど、その角隅部１９に上記アジャスタ１５の先端２０を当てた状態にして照射口７からレーザー光Ｒを対角の角隅部２１に当てるようにして計測すれば、対角線の長さを簡単かつ正確に計測することができるので、便利である。
【００２６】
なお、上記下地材を天井材の下地材とすることに代え、壁を造作するための下地材とし、上記レーザー距離計を上記下地材の側面に当接保持させて該下地材と対向する壁面との間の距離を調節しながら上記下地材を取り付けるようにしてもよい。
【００２７】
上記構成によれば、壁に造作を施す場合も、同様にして、下地材取り付けにあたって正確なレベル調整を行うことができる。
【図面の簡単な説明】
【００２８】
【図１】天井に対する下地材の取付態様説明図
【図２】（ａ）（ｂ）はレーザー距離計の平面図及び正面図
【図３】レーザー距離計にアジャスタを取り付けた状態の正面図
【図４】窓枠の対角線上の角隅部間の距離の測定態様説明図
【符号の説明】
【００２９】
１    天井
２ｂ  下地材
６    レーザー距離計
１０  マグネット
１３  床面
【図１】
2008180033.tif 000003
【図２】
2008180033.tif 000004
【図３】
2008180033.tif 000005
【図４】
2008180033.tif 000006